(57)【特許請求の範囲】
【請求項１】
光ディスクに照射するレーザ光を発するレーザ光源の発光パワーが一定となるようにオートパワー制御回路を用いて前記レーザ光源に対する駆動電流値を制御するレーザパワー制御方法において、
前記光ディスクの情報の再生動作開始から所定期間経過後に前記レーザ光源をエラー訂正が可能な時間消灯させて前記レーザ光源の消灯状態で前記オートパワー制御回路に生ずるオフセットを調整することを特徴とするレーザパワー制御方法。
【請求項２】
消灯直前の前記レーザ光源に対する駆動電流値をサンプルホールド回路に保持させておくようにしたことを特徴とする請求項１記載のレーザパワー制御方法。
【請求項３】
前記情報を再生する動作が所定期間に亘って連続して行われた場合に、その所定期間経過時点で前記レーザ光源を所定時間だけ消灯させて前記オートパワー制御回路のオフセットを調整するようにしたことを特徴とする請求項１又は２記載のレーザパワー制御方法。
【請求項４】
前記光ディスクの装置内の温度を監視し、その温度変動が予め設定された所定範囲を超える場合に、超えた時点で前記レーザ光源を前記所定時間だけ消灯させて前記オートパワー制御回路のオフセットを調整するようにしたことを特徴とする請求項１又は２記載のレーザパワー制御方法。
【請求項５】
前記情報の再生中に前記レーザ光源を消灯させる前記所定時間は、前記レーザ光源の再点灯時にサーボ信号が追従し得る時間の範囲内に設定されていることを特徴とする請求項１ないし４の何れか一に記載のレーザパワー制御方法。
【請求項６】
前記情報の再生中に前記レーザ光源を消灯させる前記所定時間は、その時間内に前記オートパワー制御回路のオフセット調整を完了させ得る時間に設定され、前記再生動作により再生された情報を一旦バッファメモリを介して出力させるようにしたことを特徴とする請求項１ないし４の何れか一に記載のレーザパワー制御方法。
【請求項７】
光ディスクに照射するレーザ光を発するレーザ光源と、前記発光パワーが一定となるように前記レーザ光源に対する駆動電流値を制御するオートパワー制御回路とを備えた光ディスク装置において、
前記光ディスクの情報の再生動作開始から所定期間経過後に前記レーザ光源をエラー訂正が可能な時間消灯させる消灯制御手段と、
前記レーザ光源の消灯状態で前記オートパワー制御回路に生ずるオフセットを調整するオフセット調整手段と、を備えることを特徴とする光ディスク装置。
【請求項８】
再生動作又は記録動作のために光ディスクに照射するレーザ光を発するレーザ光源と、再生動作時と記録動作時とでゲインが固定された電流／電圧変換回路を有し前記レーザ光源の発光パワーのレベルに対応するモニタ信号の前記電流／電圧変換回路により検出されるレベルの変化に基づき前記発光パワーが一定となるように前記レーザ光源に対する駆動電流値を制御するオートパワー制御回路とを備えた光ディスク装置において、
前記光ディスクの情報の再生動作開始から所定期間経過後に前記レーザ光源をエラー訂正が可能な時間消灯させる消灯制御手段と、
前記レーザ光源の消灯状態で前記オートパワー制御回路に生ずるオフセットを調整するオフセット調整手段と、を備えることを特徴とする光ディスク装置。
【請求項９】
前記オートパワー制御回路は、
前記レーザ光源の発光パワーに対応した電流をモニタ信号として出力するモニタ用受光素子と、
このモニタ用受光素子から出力される電流を電圧に変換する電流／電圧変換回路と、
少なくとも１つ以上の増幅器を含み、前記電流／電圧変換回路から出力される電圧値に対応した駆動電流値の駆動電流を前記レーザ光源に供給する光源電流駆動回路と、
前記電流／電圧変換回路の出力電圧又は前記光源電流駆動回路中の何れか１つの増幅器の出力電圧と、前記レーザ光源の消灯時に比較対象となる前記電流／電圧変換回路又は前記増幅器が出力すべき電圧値に設定された基準電圧とを比較する比較手段と、を備えることを特徴とする請求項７又は８記載の光ディスク装置。
【請求項１０】
前記オフセット調整手段は、
前記オートパワー制御回路のオフセットの調整動作を制御するデジタル制御装置と、
このデジタル制御装置により電圧値が制御されたオフセット電圧を前記電流／電圧変換回路又は前記光源電流駆動回路中の何れか１つの増幅器に対して印加するＤ／Ａ変換手段とを備え、
前記レーザ光源を消灯させたときの前記比較手段の比較出力に基づき前記オートパワー制御回路のオフセットを打ち消すように前記Ｄ／Ａ変換手段によるオフセット電圧の電圧値を前記デジタル制御装置により制御するようにしたことを特徴とする請求項９記載の光ディスク装置。
【請求項１１】
前記光源電流駆動回路は、消灯直前の前記レーザ光源に対する駆動電流値を保持するサンプルホールド回路を備えることを特徴とする請求項９又は１０記載の光ディスク装置。
【請求項１２】
前記消灯制御手段は、前記情報を再生する動作が所定期間に亘って連続して行われた場合に、その所定期間経過時点で前記レーザ光源を所定時間だけ消灯させることを特徴とする請求項７ないし１１の何れか一記載の光ディスク装置。
【請求項１３】
装置内の温度を監視する温度監視手段を備え、前記消灯制御手段は、前記温度監視手段により監視される温度変動が予め設定された範囲を超える場合に、超えた時点で前記レーザ光源を前記所定時間だけ消灯させることを特徴とする請求項７ないし１１の何れか一記載の光ディスク装置。
【請求項１４】
前記情報の再生中に前記レーザ光源を消灯させる前記所定時間は、前記レーザ光源の再点灯時にサーボ信号が追従し得る時間の範囲内に設定されていることを特徴とする請求項７ないし１３の何れか一に記載の光ディスク装置。
【請求項１５】
前記再生された情報を一旦蓄積して出力するバッファメモリを備え、前記情報の再生中に前記レーザ光源を消灯させる前記所定時間は、その時間内に前記オートパワー制御回路のオフセットの調整を完了させ得る時間に設定されていることを特徴とする請求項７ないし１３の何れか一に記載の光ディスク装置。
【請求項１６】
前記バッファメモリの出力側は、外部情報処理装置に接続されていることを特徴とする請求項１５記載の光ディスク装置。
【請求項１７】
請求項７ないし１５の何れか一に記載の光ディスク装置を内蔵したことを特徴とする情報処理装置。
【発明の詳細な説明】
【０００１】
【発明の属する技術分野】
本発明は、光ディスク装置、この光ディスク装置を備えた情報処理装置及び光ディスク装置のレーザパワー制御方法に関する。
【０００２】
【従来の技術】
マルチメディアの普及に伴い音楽用ＣＤ，ＣＤ−ＲＯＭ、最近ではＤＶＤ−ＲＯＭなどの再生専用メディア(光ディスク)や再生専用光ディスク装置が実用化されている。また、最近では、色素メディアを用いた追記型光ディスクや、光磁気(ＭＯ)メディアを用いた書き換え可能なＭＯディスクの他に相変化型メディアも注目されており、これらの光ディスクを用いた情報記録再生装置が実用化されている。また、書き換え可能なＤＶＤメディアは次世代のマルチメディア記録媒体及び大容量ストレージ媒体として多いに注目されている。
【０００３】
何れにしても、光ディスクに対して記録又は再生を良好に行なうためには、半導体レーザ等のレーザ光源が発するレーザ光の発光パワーの制御を正しく行なうことが必要である。半導体レーザに対する制御方法の一つに、発光パワーの変動によらず一定の電流を半導体レーザに流して駆動する制御方法があり、この方法をＡＣＣ（Ａutomatic Ｃurrent Ｃontrol）と呼んでいる。しかし、半導体レーザは自己発熱などにより駆動電流−発光パワー特性が容易に変動してしまうので、半導体レーザの発光パワーを安定化させる制御方法として、一般的には、ＡＰＣ（Ａutomatic Ｐower Ｃontrol＝オートパワーコントロール）方法が採用されている。これは、半導体レーザの出射光の一部をモニタ用のフォトディテクタに入射させ、半導体レーザの発光パワーに比例して発生するモニタ電流を用いて所望の発光パワーとなるように半導体レーザに対する駆動電流値を制御するようにしたものである。
【０００４】
再生動作のみを考えた場合は、一般的に、半導体レーザの駆動電流にはノイズ抑制のために高周波電流が重畳されるが、直流的には一定電流であるため、比較的低帯域の帰還ループを構成することで容易にＡＰＣを実現することができる。記録動作時にＡＰＣを行なう場合は、例えば光ディスク上にマーク／スペースを形成するために記録パワーが高速で変化するので、制御に工夫が必要である。例えば、ＣＤ系やＤＶＤ系では記録データのＤＳＶ（Ｄigital Ｓum Ｖalue）がゼロになることを利用して、低帯域の帰還ループを構成すれば、再生動作時と同様に簡易な構成で記録時の発光パワーを制御することができる。
【０００５】
一般的なＡＰＣ回路の一例を図８に示す。このＡＰＣ回路は、半導体レーザ（ＬＤ）１００の出射光の一部を受光しその発光パワーに対応した電流をモニタ信号として出力するモニタ用のフォトディテクタ（ＰＤ）１０１と、このフォトディテクタ１０１から出力される電流を電圧に変換するＩ／Ｖアンプ（電流／電圧変換回路）１０２と、このＩ／Ｖアンプ１０２から出力される電圧値に対応した駆動電流値の駆動電流を半導体レーザ１００に供給するＬＤ電流駆動回路１０３とにより構成されている。ＬＤ電流駆動回路１０３は、アンプ１０４、電流制御アンプ１０５及びＬＤ駆動装置１０６により構成され、ＣＰＵ１０７からＤ／Ａ変換器１０８を介して電流制御アンプ１０５に与えられる目標発光パワーに応じた目標電圧値とＩ／Ｖアンプ１０２の出力電圧値とが常に等しくなるように半導体レーザ１００に対する駆動電流値を制御するので、半導体レーザ１００を常に目標発光パワーで発光させることができる。
【０００６】
ここに、フォトディテクタ１０１は、その一般的な特性として、受光していない時でも（半導体レーザ１００が消灯している時でも）、わずかに電流を出力（暗電流）するため、回路オフセットとなる。また、Ｉ／Ｖアンプ１０２や、ＬＤ電流駆動回路１０３内のアンプ１０４，１０５も定常的にオフセット電圧を有する。これらの回路オフセットを除去するため、一般に、装置の初期化時に、ＡＰＣ回路のオフセットを調整するようにしている。即ち、半導体レーザ１００を消灯させておき、何れかのアンプ１０２，１０４又は１０５の出力電圧と基準電圧（Ｖref）との電圧差がほぼゼロになるように何れかのアンプ１０２，１０４又は１０５の入力側にオフセット電圧が加算又は減算されるように印加させることでＡＰＣ回路のオフセットを除去するようにしている。
【０００７】
【発明が解決しようとする課題】
ところが、フォトディテクタ１０１の暗電流や、各アンプ１０２，１０４，１０５のオフセット電圧は、温度変動により変動する特性を有する（温度ドリフト）。特に、フォトディテクタ１０１の暗電流は温度上昇とともに指数関数的に増加する特性を有している。通常の記録又は再生動作中、即ち、半導体レーザ１００が点灯している状態では、温度ドリフトによるオフセット電圧は検知することができないので、ＡＰＣに制御誤差を生じてそのパワー制御が適正でなくなり、半導体レーザ１００の発光パワーが目標発光パワーに対して変動してしまうことになる。
【０００８】
この点、特開平６−２１５４０４号公報によれば、このような温度ドリフトを考慮してＡＰＣ回路のオフセットを調整する提案がなされている。即ち、同公報によれば、暗電流温度係数が予め分かっているフォトディテクタと温度変動検知手段とを具備し、測定された温度変動と暗電流温度係数よりオフセット電圧を算出し、オフセットの調整するようにしている。
【０００９】
ところが、同公報例のような温度ドリフト対策による場合、フォトディテクタの暗電流温度係数を予め測定して保存させておく必要がある上に、この暗電流温度係数が経時的に変化してしまうと正確にオフセット電圧を算出できないという問題点がある。
【００１０】
一方、温度ドリフトの回路構成上の影響について考えると、特に、フォトディテクタ１０１の暗電流及びＩ／Ｖアンプ１０２に対する温度ドリフトは、後段のアンプ１０４，１０５に比べて、元々の電圧レベルが小さいので発光パワー変動に対する影響度が大きなものとなってしまう。例えば、ＤＶＤ−ＲＯＭドライブのように再生専用の光ディスク装置の場合であれば、Ｉ／Ｖアンプ１０２のゲインを大きくすることで温度ドリフトによる影響を相対的に小さくすることができ、さほど問題にはならない。これは、記録も可能な光ディスク装置において、Ｉ／Ｖアンプ１０２のゲインを記録時と再生時とで切換える構成の場合であれば、再生時のゲインを大きくし得るので、再生専用の場合と同様となる。しかし、記録も可能な光ディスク装置において、例えば、レーザパワー制御系の構成・動作を簡単化させるためにＩ／Ｖアンプ１０２のゲインを固定（即ち、記録時と再生時とで同じゲインとなる）とした構成の場合、記録発光パワーの大きな記録時を考えるとＩ／Ｖアンプ１０２のゲインを大きくとることができないので、相対的に発光パワーの小さめな再生時のＩ／Ｖアンプ１０２の出力電圧値は非常に微小となり温度ドリフトの影響が大きく、結果的に、再生パワーの変動が大きくなってしまう。
【００１１】
そこで、本発明は、実際の再生動作に伴い生じ得る温度ドリフトによるオートパワー制御回路のオフセットを、モニタ用受光素子の暗電流温度係数の経時的な変化等の影響を受けることなく、ドライブ動作中に適正に除去することができ、良好なるパワー制御が行える光ディスク装置及びそのレーザパワー制御方法を提供することを目的とする。
【００１２】
また、本発明は、記録も可能な光ディスク装置において、オートパワー制御回路中の電流／電圧変換回路のゲインを記録時と再生時とで同一とし再生動作時の温度ドリフトの影響が大きくなるような構成条件下に、実際の再生動作に伴い生じ得る温度ドリフトによるオートパワー制御回路のオフセットを、ドライブ動作中に適正に除去することができ、良好なるパワー制御が行える光ディスク装置及びそのレーザパワー制御方法を提供することを目的とする。
【００１３】
また、本発明は、実際のドライブ動作中にオートパワー制御回路の温度ドリフトに伴うオフセットの調整を行う上で、その制御動作の連続性を損なうことのない光ディスク装置及びそのレーザパワー制御方法を提供することを目的とする。
【００１４】
また、本発明は、実際のドライブ動作に伴い生じ得る温度ドリフトによるオートパワー制御回路のオフセットを簡単かつ正確に除去し得る光ディスク装置及びそのレーザパワー制御方法を提供することを目的とする。
【００１５】
さらに、本発明は、実際のドライブ動作に伴い生じ得る温度ドリフトによるオートパワー制御回路のオフセットの影響を受ける前に適正にそのオフセットを除去し得る光ディスク装置及びそのレーザパワー制御方法を提供することを目的とする。
【００１６】
さらには、本発明は、再生等の実際のドライブ動作中にオートパワー制御回路の温度ドリフトに伴うオフセットの調整を行う上で、トラッキング等のサーボ制御を維持し得る光ディスク装置及びそのレーザパワー制御方法を提供することを目的とする。
【００１７】
さらには、本発明は、再生等の実際のドライブ動作中にオートパワー制御回路の温度ドリフトに伴うオフセットの調整を行う上で、トラッキング等のサーボ制御が外れても、外部に出力する再生信号の連続性を維持し得る光ディスク装置及びそのレーザパワー制御方法を提供することを目的とする。
【００１８】
【課題を解決するための手段】
請求項１記載の発明のレーザパワー制御方法は、光ディスクに照射するレーザ光を発するレーザ光源の発光パワーが一定となるようにオートパワー制御回路を用いて前記レーザ光源に対する駆動電流値を制御するレーザパワー制御方法において、前記光ディスクの情報の再生動作開始から所定期間経過後に前記レーザ光源をエラー訂正が可能な時間消灯させて前記レーザ光源の消灯状態で前記オートパワー制御回路に生ずるオフセットを調整するようにした。
【００１９】
従って、再生動作中であってもレーザ光源を所定時間消灯させることによりその時点での温度ドリフトによるオートパワー制御回路のオフセット量を検知することが可能となり、そのオフセット量に基づきオートパワー制御回路に生ずるオフセットを打ち消すように適正に調整することができ、結果として、実際のドライブ動作に伴う温度ドリフトの影響を受けないオートパワー制御回路によるレーザパワー制御が可能となる。
【００２０】
請求項２記載の発明は、請求項１記載のレーザパワー制御方法において、消灯直前の前記レーザ光源に対する駆動電流値をサンプルホールド回路に保持させておくようにした。
【００２１】
従って、再生動作中にオフセットの調整を行うためにレーザ光源を消灯させることで、消灯直前のレーザ光源に対する駆動電流値を失うとレーザ光源の再点灯に伴いオートパワー制御回路によりパワー制御を行う上でその制御動作が安定するまでにかなりの時間を要することとなるが、レーザ光源の消灯直前の駆動電流値をサンプルホールド回路により保持しておくことにより、再点灯後のオートパワー制御回路の制御動作が速やかに安定し、制御の連続性を維持できる。
【００２２】
請求項３記載の発明は、請求項１又は２記載のレーザパワー制御方法において、前記情報を再生する動作が所定期間に亘って連続して行われた場合に、その所定期間経過時点で前記レーザ光源を所定時間だけ消灯させて前記オートパワー制御回路のオフセットを調整するようにした。
【００２３】
従って、実際の再生動作に伴い生じ得る温度ドリフトによるオートパワー制御回路のオフセットの影響が出ないように設定された所定期間に亘って再生動作が連続して行われた場合にその所定期間経過時点でレーザ光源を消灯させてオートパワー制御回路のオフセットの調整を行わせることで、時間的管理による簡単な制御で温度ドリフトによる悪影響を受けることのないパワー制御が可能となる。
【００２４】
請求項４記載の発明は、請求項１又は２記載のレーザパワー制御方法において、前記光ディスクの装置内の温度を監視し、その温度変動が予め設定された所定範囲を超える場合に、超えた時点で前記レーザ光源を前記所定時間だけ消灯させて前記オートパワー制御回路のオフセットを調整するようにした。
【００２５】
従って、実際の再生動作に伴い生じ得る温度ドリフトの最大要因である光ディスク装置内の温度変動を監視し、温度ドリフトによるオートパワー制御回路のオフセットの影響が出ないように設定された温度変動の範囲を超える変動を生じた場合にレーザ光源を消灯させてオートパワー制御回路のオフセットの調整を行わせることで、実際に温度ドリフトによるオフセットの調整の必要性が生じた場合のみの必要最小限の制御で温度ドリフトによる悪影響を受けることのないパワー制御が可能となる。
【００２６】
請求項５記載の発明は、請求項１ないし４の何れか一に記載のレーザパワー制御方法において、前記情報の再生中に前記レーザ光源を消灯させる前記所定時間は、前記レーザ光源の再点灯時にサーボ信号が追従し得る時間の範囲内に設定されている。
【００２７】
従って、再生動作中にレーザ光源を消灯させる所定時間をその直後の再点灯時にサーボ信号が追従し得る時間の範囲内に設定することで、再生動作中に消灯を伴うオートパワー制御回路のオフセットの調整動作を行っても、トラッキング等のサーボ制御には何ら支障を来たすことがなく、従って、再点灯後の再生動作等の連続性も維持させることができる。
【００２８】
請求項６記載の発明は、請求項１ないし４の何れか一に記載のレーザパワー制御方法において、前記情報の再生中に前記レーザ光源を消灯させる前記所定時間は、その時間内に前記オートパワー制御回路のオフセット調整を完了させ得る時間に設定され、前記再生動作により再生された情報を一旦バッファメモリを介して出力させるようにした。
【００２９】
従って、再生動作中にレーザ光源を消灯させる所定時間をその時間内にオートパワー制御回路のオフセット調整を完了させ得る時間に設定した場合、比較的消灯時間が長くなり、トラッキング等のサーボ信号が追従し得ずサーボが外れてしまい、再点灯後のサーボ復帰に時間を要し、外部に出力する再生信号の連続性が損なわれるが、再生動作により再生された情報を一旦バッファメモリを介して出力させることで、オフセットの調整に伴う再生信号の不連続性を調整してその連続性を維持させて出力させることができる。
【００３０】
請求項７記載の発明の光ディスク装置は、光ディスクに照射するレーザ光を発するレーザ光源と、前記レーザ光源の発光パワーが一定となるように前記レーザ光源に対する駆動電流値を制御するオートパワー制御回路とを備えた光ディスク装置において、前記レーザ光源の消灯状態で前記オートパワー制御回路に生ずるオフセットを調整するオフセット調整手段と、前記光ディスクの情報の再生動作開始から所定期間経過後に前記レーザ光源をエラー訂正が可能な時間消灯させる消灯制御手段と、を備える。
【００３１】
従って、再生動作中であっても消灯制御手段によりレーザ光源を所定時間消灯させることによりその時点での温度ドリフトによるオートパワー制御回路のオフセット量を検知することが可能となり、そのオフセット量に基づきオートパワー制御回路に生ずるオフセットを打ち消すようにオフセット調整手段により適正に調整することができ、結果として、実際のドライブ動作に伴う温度ドリフトの影響を受けないオートパワー制御回路によるレーザパワー制御が可能となる。
【００３２】
請求項８記載の発明の光ディスク装置は、再生動作又は記録動作のために光ディスクに照射するレーザ光を発するレーザ光源と、再生動作時と記録動作時とでゲインが固定された電流／電圧変換回路を有し前記レーザ光源の発光パワーのレベルに対応するモニタ信号の前記電流／電圧変換回路により検出されるレベルの変化に基づき前記発光パワーが一定となるように前記レーザ光源に対する駆動電流値を制御するオートパワー制御回路とを備えた光ディスク装置において、前記レーザ光源の消灯状態で前記オートパワー制御回路に生ずるオフセットを調整するオフセットの調整手段と、前記光ディスクの情報の再生動作開始から所定期間経過後に前記レーザ光源をエラー訂正が可能な時間消灯させる消灯制御手段と、を備える。
【００３３】
従って、再生動作中であっても消灯制御手段によりレーザ光源を所定時間消灯させることによりその時点での温度ドリフトによるオートパワー制御回路のオフセット量を検知することが可能となり、そのオフセット量に基づきオートパワー制御回路に生ずるオフセットを打ち消すようにオフセット調整手段により適正に調整することができ、結果として、実際の再生動作に伴う温度ドリフトの影響を受けないオートパワー制御回路によるレーザパワー制御が可能となる。特に、オートパワー制御回路中の電流／電圧変換回路のゲインを記録時と再生時とで同一とし再生動作時の温度ドリフトの影響が大きくなるような構成条件下において再生動作時の温度ドリフトの影響を受けないようにオフセットの調整を行える。
【００３４】
請求項９記載の発明は、請求項７又は８記載の光ディスク装置において、前記オートパワー制御回路は、前記レーザ光源の発光パワーに対応した電流をモニタ信号として出力するモニタ用受光素子と、このモニタ用受光素子から出力される電流を電圧に変換する電流／電圧変換回路と、少なくとも１つ以上の増幅器を含み、前記電流／電圧変換回路から出力される電圧値に対応した駆動電流値の駆動電流を前記レーザ光源に供給する光源電流駆動回路と、前記電流／電圧変換回路の出力電圧又は前記光源電流駆動回路中の何れか１つの増幅器の出力電圧と、前記レーザ光源の消灯時に比較対象となる前記電流／電圧変換回路又は前記増幅器が出力すべき電圧値に設定された基準電圧とを比較する比較手段と、を備える。
【００３５】
従って、請求項７又は８記載の光ディスク装置を実現する上で、オートパワー制御回路中の比較手段の基準電圧を、レーザ光源の消灯時に比較対象となる電流／電圧変換回路又は増幅器が出力すべき電圧値に設定しておくことにより、実際のドライブ動作に伴い生じ得る温度ドリフトによるオートパワー制御回路のオフセットを簡単かつ正確に除去させることができる。
【００３６】
請求項１０記載の発明は、請求項９記載の光ディスク装置において、前記オフセット調整手段は、前記オートパワー制御回路のオフセットの調整動作を制御するデジタル制御装置と、このデジタル制御装置により電圧値が制御されたオフセット電圧を前記電流／電圧変換回路又は前記光源電流駆動回路中の何れか１つの増幅器に対して印加するＤ／Ａ変換手段とを備え、前記レーザ光源を消灯させたときの前記比較手段の比較出力に基づき前記オートパワー制御回路のオフセットを打ち消すように前記Ｄ／Ａ変換手段によるオフセット電圧の電圧値を前記デジタル制御装置により制御するようにした。
【００３７】
従って、請求項９記載の光ディスク装置におけるオフセットの調整を実現する上で、いわゆるＣＰＵ等のデジタル制御装置によりＤ／Ａ変換手段のオフセット電圧の電圧値を制御設定することにより、容易かつ正確に温度ドリフトに伴うオフセットの調整を行わせることができる。
【００３８】
請求項１１記載の発明は、請求項９又は１０記載の光ディスク装置において、前記光源電流駆動回路は、消灯直前の前記レーザ光源に対する駆動電流値を保持するサンプルホールド回路を備える。
【００３９】
従って、再生動作中にオフセットの調整を行うためにレーザ光源を消灯させることで、消灯直前のレーザ光源に対する駆動電流値を失うとレーザ光源の再点灯に伴いオートパワー制御回路によりパワー制御を行う上でその制御動作が安定するまでにかなりの時間を要することとなるが、サンプルホールド回路を備えてレーザ光源の消灯直前の駆動電流値を保持しておくことにより、再点灯後のオートパワー制御回路の制御動作が速やかに安定し、制御の連続性を維持できる。
【００４０】
請求項１２記載の発明は、請求項７ないし１１の何れか一記載の光ディスク装置において、前記消灯制御手段は、前記情報を再生する動作が所定期間に亘って連続して行われた場合に、その所定期間経過時点で前記レーザ光源を所定時間だけ消灯させる。
【００４１】
従って、実際の再生動作に伴い生じ得る温度ドリフトによるオートパワー制御回路のオフセットの影響が出ないように設定された所定期間に亘って再生動作が連続して行われた場合にその所定期間経過時点でレーザ光源を消灯させてオートパワー制御回路のオフセットの調整を行わせることで、時間的管理による簡単な制御方法で温度ドリフトによる悪影響を受けることのないパワー制御が可能となる。
【００４２】
請求項１３記載の発明は、請求項７ないし１１の何れか一記載の光ディスク装置において、装置内の温度を監視する温度監視手段を備え、前記消灯制御手段は、前記温度監視手段により監視される温度変動が予め設定された範囲を超える場合に、超えた時点で前記レーザ光源を前記所定時間だけ消灯させる。
【００４３】
従って、実際の再生動作に伴い生じ得る温度ドリフトの最大要因である光ディスク装置内の温度変動を温度監視手段により監視し、温度ドリフトによるオートパワー制御回路のオフセットの影響が出ないように設定された温度変動の範囲を超える変動を生じた場合にレーザ光源を消灯させてオートパワー制御回路のオフセットの調整を行わせることで、実際に温度ドリフトによるオフセットの調整の必要性が生じた場合のみの必要最小限の制御で温度ドリフトによる悪影響を受けることのないパワー制御が可能となる。
【００４４】
請求項１４記載の発明は、請求項７ないし１３の何れか一に記載の光ディスク装置において、前記情報の再生中に前記レーザ光源を消灯させる前記所定時間は、前記レーザ光源の再点灯時にサーボ信号が追従し得る時間の範囲内に設定されている。
【００４５】
従って、再生動作中にレーザ光源を消灯させる所定時間をその直後の再点灯時にサーボ信号が追従し得る時間の範囲内に設定することで、再生動作中に消灯を伴うオートパワー制御回路のオフセットの調整動作を行っても、トラッキング等のサーボ制御には何ら支障を来たすことがなく、従って、再点灯後の再生動作等の連続性も維持させることができる。
【００４６】
請求項１５記載の発明は、請求項７ないし１３の何れか一に記載の光ディスク装置において、前記再生された情報を一旦蓄積して出力するバッファメモリを備え、前記情報の再生中に前記レーザ光源を消灯させる前記所定時間は、その時間内に前記オートパワー制御回路のオフセットの調整を完了させ得る時間に設定されている。
【００４７】
従って、再生動作中にレーザ光源を消灯させる所定時間をその時間内にオートパワー制御回路のオフセット調整を完了させ得る時間に設定した場合、比較的消灯時間が長くなり、トラッキング等のサーボ信号が追従し得ずサーボが外れてしまい、再点灯後のサーボ復帰に時間を要し、外部に出力する再生信号の連続性が損なわれるが、再生動作により再生された情報を一旦バッファメモリを介して出力させることで、オフセットの調整に伴う再生信号の不連続性を調整してその連続性を維持させて出力させることができる。
【００４８】
請求項１６記載の発明は、請求項１５記載の光ディスク装置において、前記バッファメモリの出力側は、外部情報処理装置に接続されている。
【００４９】
従って、請求項１５記載の光ディスク装置に関して、再生動作により再生された情報を一旦バッファメモリを介していわゆるホスト等の外部情報処理装置に出力させることで、オフセットの調整に伴う再生信号の不連続性を調整してその連続性を維持させて外部情報処理装置に出力させることができる。
【００５０】
請求項１７記載の発明の情報処理装置は、請求項７ないし１５の何れか一に記載の光ディスク装置を内蔵している。
【００５１】
従って、請求項７ないし１５の何れか一に記載の光ディスク装置を内蔵しているので、再生動作等の実際のドライブ動作に伴い生じ得る温度ドリフトによるオートパワー制御回路のオフセットをそのドライブ動作中に適正に除去することができ、良好なるパワー制御が行われた状態の光ディスク装置を利用でき、信頼性が向上する情報処理装置を提供することができる。
【００５２】
【発明の実施の形態】
本発明の第一の実施の形態を図１ないし図３に基づいて説明する。本実施の形態は、再生だけでなく、記録に際して所定の発光規則によりレーザ光源をパルス発光させてＤＶＤ−Ｒ等の光ディスクにマーク／スペースを記録する記録可能な光ディスク装置への適用例を示す。
【００５３】
図１にこのような記録再生可能な光ディスク装置の基本的な構成例を示す。本実施の形態の光ディスク装置１においては、スピンドルモータ（図示せず）により回転駆動される例えばＤＶＤ−Ｒによる光ディスク２に対して再生動作又は記録動作のために照射するレーザ光を発するレーザ光源としての半導体レーザ（ＬＤ）３が設けられている。この半導体レーザ３から発せられたレーザ光はコリメータレンズ４により平行光束に変換された後、偏光ビームスプリッタ５、λ／４板６及び対物レンズ７を経て光ディスク２上に集光照射される。光ディスク２から反射された戻り光は再び対物レンズ７及びλ／４板６を経て偏光方向が９０°回転されて再び偏光ビームスプリッタ５に入射することにより、入射光と分離されるように反射されて、検出レンズ８により受光領域が４分割された分割受光素子（ＰＤ）９に入射して受光される。この分割受光素子９により受光された各分割領域の受光信号は情報信号となるＲＦ信号、フォーカシング用のサーボ信号Ｆｏ及びトラッキング用のサーボ信号Ｔｒの基となるもので、ＲＦ信号はＲＦ信号復調回路１０に入力されて再生信号としての再生データの出力に供される。一方、フォーカシング用のサーボ信号Ｆｏ及びトラッキング用のサーボ信号Ｔｒは、Ｆｏ／Ｔｒサーボ制御装置１１に入力されて対物レンズ７に対するフォーカシング／トラッキング用のアクチュエータ１２のサーボ制御に供され、光ディスク２に対するレーザ光が合焦状態で正しくトラック上をトラッキングするように制御される。本実施の形態では、これらのフォーカシング用のサーボ信号Ｆｏ及びトラッキング用のサーボ信号Ｔｒを合わせてサーボ信号と称する。
【００５４】
一方、ＲＦ信号復調回路１０からの再生データを取り込むとともに、各種の演算処理及び制御処理を実行しデジタル制御装置として機能するＣＰＵ１３が設けられている。このＣＰＵ１３には再生データや記録データ、その他の信号の授受を行うホスト１４が接続されている。このＣＰＵ１３には制御信号や記録データに基づき半導体レーザ３の発光パワーや発光状態等を制御するＬＤパワー制御装置１５が接続されている。また、半導体レーザ３から出射されて偏光ビームスプリッタ５によりその一部が反射されて分岐されたモニタ光を集光レンズ１６を介して受光しその発光パワーに対応した電流をモニタ信号としてＣＰＵ１３に出力するモニタ用受光素子としての前方フォトディテクタ（ＰＤ）１７が設けられている。
【００５５】
このような基本的な構成において、本実施の形態では、図２に示すようなオートパワー制御回路（以下、実施の形態では、ＡＰＣ回路と称する）２１が設けられている。このＡＰＣ回路２１は、基本的には、前方フォトディテクタ１７と、この前方フォトディテクタ１７から出力される電流を電圧に変換する電流／電圧変換回路なるＩ／Ｖアンプ２２と、光源電流駆動回路なるＬＤ電流駆動回路２３とにより構成されており、半導体レーザ３の発光パワーのレベルに対応するモニタ信号のレベルの変化に基づき半導体レーザ３の発光パワーが一定となるようにこの半導体レーザ３に対する駆動電流値を制御する。このＡＰＣ回路２１は再生動作時にも記録動作時にも共用されるものであり、Ｉ／Ｖアンプ２２のゲインは再生動作時も記録動作時も同じ、即ち、記録動作時を考慮したゲインに固定されている。ここに、ＬＤ電流駆動回路２３は、Ｉ／Ｖアンプ２２の出力電圧を所定の基準電圧と比較して増幅するアンプ（増幅器）２４（１個でも複数個でもよい）と、ＣＰＵ１３からＤ／Ａ変換器２５を介して入力される目標発光パワーに相当する目標電圧値とアンプ２４の出力電圧とを比較する差動アンプ構成の電流制御アンプ２６と、この電流制御アンプ２６からの出力電圧値に基づき実際に半導体レーザ３に供給する駆動電流値を設定しその駆動電流を半導体レーザ３に供給するＬＤ駆動装置２７とにより構成されている。
【００５６】
さらに、本実施の形態のＡＰＣ回路２１にあっては、アンプ２４の出力電圧を所定の基準電圧Ｖrefと比較しその比較結果の出力電圧を出力する比較手段としての比較器２８が設けられている。この比較器２８の比較出力はＣＰＵ１３によりＬ側とＨ側とが切換え制御されるアナログスイッチ構成のスイッチＳＷ２のＬ側端子を介してＣＰＵ１３に接続されている。このスイッチＳＷ２のＨ側端子と比較器２８の出力側との間にはＣＰＵ１３からのオフセットサンプル信号に基づき比較器２８の出力をラッチするＤフリップフロップ構成のラッチ回路（ＤＦＦ）２９が介在されている。ここに、本実施の形態では、比較器２８の所定の基準電圧Ｖrefが、半導体レーザ３の消灯時に比較対象となるアンプ２４が本来出力すべき電圧値に設定されている。
【００５７】
また、本実施の形態のＡＰＣ回路２１では、アンプ２４と電流制御アンプ２６との間に、ＣＰＵ１３からの制御信号により開閉されるアナログスイッチ構成のスイッチＳＷ１を介してサンプルホールド回路３０が介在されている。
【００５８】
さらに、本実施の形態のＣＰＵ１３は半導体レーザ３に対する消灯制御手段としての機能を有し、タイマによる時間制御の基に所定タイミングでＬＤ駆動装置２７に対してＬＤオン信号として所定時間Ｔ０だけＬレベルの信号を出力させることによりＬＤ駆動装置２７を介して半導体レーザ３を適宜消灯させる。
【００５９】
また、ＣＰＵ１３にはＤ／Ａ変換手段としてのＤ／Ａ変換器３１が接続され、Ｄ／Ａ変換器３１の出力側はＣＰＵ１３により電圧値が設定制御されたオフセット電圧をアンプ２４の入力端子に加算して印加させるように接続されている。ここに、これらのＣＰＵ１３とＤ／Ａ変換器３１とによりオフセット調整手段３２が構成されている。なお、Ｄ／Ａ変換器３１（Ｄ／Ａ変換器２５も）はＣＰＵ１３内に内蔵された形態であってもよい。
【００６０】
このような構成において、ドライブ動作時、例えば再生動作におけるＡＰＣ回路２１による動作制御及びこのＡＰＣ回路２１に生ずるオフセットの調整動作について図３に示すタイムチャートを参照して説明する。
【００６１】
まず、再生時における通常のＡＰＣ動作について説明する。スイッチＳＷ１は通常はオン状態（Ｈレベル）となっている。そこで、ＬＤ駆動装置２７により半導体レーザ３に再生用の駆動電流が供給されると、半導体レーザ３からレーザ光が出射されて光ディスク２に集光照射させることにより、情報の再生が行なわれる。この再生動作の際、半導体レーザ３からの出射光の一部が前方フォトディテクタ１７に入射して、発光パワーのレベルに比例したレベルのモニタ電流（モニタ信号）がＩ／Ｖアンプ２２に出力される。Ｉ／Ｖアンプ２２より電流−電圧変換された電圧（モニタ電圧）はアンプ２４で増幅され、サンプルホールド回路３０を介して電流制御アンプ２６に出力される。
【００６２】
電流制御アンプ２６にはＣＰＵ１３よりＤ／Ａ変換器２５を介して目標再生発光パワーに応じた目標電圧が出力されており、電流制御アンプ２６はアンプ２４の出力電圧がこの目標電圧に常に一致するように駆動信号をＬＤ駆動装置２７に出力する。ＬＤ駆動装置２７では、この駆動信号のレベルに応じて再生発光パワーの駆動電流値を決定して半導体レーザ３を点灯駆動させる。このようなＡＰＣ動作により、半導体レーザ３を常に目標再生発光パワーで発光させることができる。
【００６３】
このようなＡＰＣ回路２１においては、前述したように前方フォトディテクタ１７の暗電流、Ｉ／Ｖアンプ２２及びアンプ２４のオフセット電圧に生ずるオフセットを除去するため、本光ディスク装置１の初期化時に予めオフセットの調整を行う。まず、スイッチＳＷ２はＬレベルとなっており（比較器２８の出力が直接的にＣＰＵ１３に接続されている）、比較器２８には、半導体レーザ３の消灯時にアンプ２４が本来出力すべき電圧と同じレベルの電圧が基準電圧Ｖrefとして設定されており、アンプ２４の出力を入力させてこの基準電圧Ｖrefと比較させ、この比較器２８の比較出力を取り込むことにより、その時点でのＡＰＣ回路２１のオフセット量がＣＰＵ１３により検知される。即ち、比較器２８の基準電圧Ｖrefが半導体レーザ３の消灯時にアンプ２４が本来出力すべき電圧と同じレベルの電圧として設定されているので、比較器２８の比較出力のレベルがその時点でのオフセット量を直接的に示すものとなる。そこで、ＣＰＵ１３では、比較器２８の比較出力の結果、即ち、オフセット量に応じてＤ／Ａ変換器３１に対する設定値を変化させる（例えば、アンプ２４の出力＞Ｖrefの場合であれば、アンプ２４の出力電圧が減少するようにＤ／Ａ変換器３１に対する設定値を設定する）。これにより、アンプ２４にはＤ／Ａ変換器３１の出力がオフセット電圧としてアンプ２４に対する基準電圧Ｖrefを基準に加算又は減算される。このような動作を、アンプ２４の出力電圧が比較器２８に対する基準電圧Ｖrefとほぼ同じ電圧値になるまで何度か繰り返すことにより、オフセットの調整がなされ、半導体レーザ３の発光パワーの制御に際してＡＰＣ回路２１のオフセットの影響が出ないように初期設定される。
【００６４】
本来的には、このように初期化時にＡＰＣ回路２１のオフセットの調整を行っているので、再生動作等の動作開始時にはオフセットの影響はほぼ排除できるが、再生動作を長時間連続して行っていると、光ディスク装置１内の温度上昇に伴って次第に温度ドリフトによるオフセットが発生してくる。温度ドリフトによるオフセットは、再生動作に伴う半導体レーザ３の発光中は除去することができない。
【００６５】
そこで、本実施の形態では、図３に示すように再生動作が所定期間Ｔ１だけ連続した場合、その所定期間Ｔ１を経過した時点で一時的に所定時間Ｔ０だけ、半導体レーザ３を強制的に消灯させて温度ドリフトによるオフセット量を認識し、その温度ドリフトによるオフセットを除去させるものである。
【００６６】
まず、再生動作中は、スイッチＳＷ２を常にＨレベルの状態とし、ラッチ回路２９の出力がＣＰＵ１３に接続される状態とする。ＣＰＵ１３はＬＤオン信号をＬレベルとしてＬＤ駆動装置２７に対して半導体レーザ３の消灯を指示する。すると、半導体レーザ３は発光状態から消灯状態に切換えられ、前方フォトディテクタ１７の出力をＩ／Ｖアンプ２２を介してモニタしているアンプ２４の出力電圧は半導体レーザ３の消灯時の出力電圧レベルとなる。この際、温度ドリフトによるオフセットが発生していると基準電圧Ｖrefに対して電圧差が現れ、比較器２８においてこの基準電圧Ｖrefとの比較結果がオフセット量として出力される。ＤＦＦによるラッチ回路２９は半導体レーザ３の消灯中においてＣＰＵ１３から出力されるオフセットサンプル信号のタイミングで比較器２８の出力をラッチして、ＣＰＵ１３に出力する。ＣＰＵ１３では、初期化時オフセット調整の場合と同様に、ラッチ回路２９の出力結果（比較器２８の出力結果）に応じて、アンプ２４の出力が基準電圧Ｖrefにほぼ等しくなるようにＤ／Ａ変換器３１の電圧値（温度ドリフトによるオフセット電圧値）を設定する。
【００６７】
このように、基本的には、実際の再生動作なるドライブ動作中に半導体レーザ３を所定時間Ｔ０だけ消灯させて温度ドリフトに伴うオフセットを打ち消すようにオフセット調整を行うことにより、温度ドリフトによるオフセットの影響を受けることのないＡＰＣ動作が可能となる。特に、再生動作中において実際のオフセット量を検知してそのオフセットを打ち消すように調整しているので、前方フォトディテクタ１７の暗電流温度係数の経時的な変化等の影響を受けることなく、オフセットの調整を適正に行える。
【００６８】
また、ＣＰＵ１３は、半導体レーザ３の消灯直前にスイッチＳＷ１をＬレベル（オフ）とし、サンプルホールド回路３０で半導体レーザ３の消灯直前のアンプ２４の出力電圧（即ち、消灯直前の駆動電流値）を保持しておき、再点灯直前にスイッチＳＷ１をＨレベル（オン）に切換える。これにより、半導体レーザ３を再点灯させた後、ＡＰＣ回路２１による本来のＡＰＣ動作を行わせる上で直前の駆動電流値から再開させることができるので、速やかにＡＰＣ回路２１を目標値に整定させることができる。
【００６９】
ところで、再生動作中に半導体レーザ３を消灯すべき所定時間Ｔ０は、光ディスク装置１内の温度変動の勾配とそれに伴う温度ドリフトによる発光パワー変動により決定される。例えば、光ディスク装置１内の温度変動が６０℃／ｈであり、発光パワーの変動が温度変動として１０℃まで許容できるなら、１０分以内に温度ドリフトのオフセットを排除できればよい。また、半導体レーザ３を消灯させる所定時間Ｔ０は、再点灯後もＦｏ／Ｔｒサーボ制御装置１１においてサーボ信号（フォーカシングサーボ信号Ｆｏ及びトラッキングサーボ信号Ｔｒ）が追随できる時間の範囲内とされている。これにより、再生動作中に一時的に半導体レーザ３を強制的に消灯させてもサーボ制御は通常動作を継続することができる。例えば、サーボ信号（フォーカシングサーボ信号Ｆｏ及びトラッキングサーボ信号Ｔｒ）の制御帯域がｆｃ＝５０ｋＨｚの場合、時定数τの１／２の時間、即ち、
0003973338.tif 000002
程度であれば、サーボ制御は通常動作を継続することができる。この所定時間Ｔ０の間は、半導体レーザ３が強制的に消灯されているので光ディスク２からは記録情報を読み取ることができず、再生データが欠損することとなる。しかし、再生動作に関して、例えばＤＶＤ−ＲＯＭ規格によれば、"Ｌocal ｄefects"（きず）として３００μｍが許容されており、これは約１．５Ｓyncに相当する。この時間内であればエラー訂正が可能であり、８倍速で再生した場合でも半導体レーザ３を消灯させる所定時間Ｔ０としては、
３８．２ｎｓ＊１４８８＊１．５／８＝１０．６６μｓ
まで許容されるので、上記の如くＴ０＝１．６μｓは十分にエラー訂正が可能な時間範囲と見倣せる。
【００７０】
ちなみに、消灯させる所定時間Ｔ０が短めであり、この所定時間Ｔ０内では温度ドリフトのオフセットの調整を完了させることはできないので、本実施の形態では、一回の所定期間Ｔ１経過毎に消灯回数として図３中に▲１▼▲２▼で示すように２回消灯させ、１回目▲１▼の消灯で温度ドリフトによるオフセット量を取込み、▲１▼▲２▼の間の点灯時にＣＰＵ１３においてＤ／Ａ変換器３１に対するオフセット電圧値を決定し（オフセットの調整）、２回目▲２▼の消灯時にそのオフセット電圧値により温度ドリフトによるオフセットが解消されているかをチェックするようにしている。
【００７１】
なお、所定期間Ｔ１経過毎に半導体レーザ３を消灯させる回数は、２回に限らず、さらに増やしてもよい。また、逆に、所定期間Ｔ１をもっと短めとし、所定期間Ｔ１経過毎に半導体レーザ３を１回だけ消灯させるようにしてもよい。これによれば、温度ドリフトによるオフセットの少ない段階で半導体レーザ３を消灯させてそのオフセットの調整を行うので、次のオフセット調整がなされるまでの所定期間Ｔ１内（即ち、再生動作中）におけるオフセットの影響が少なくて済む。
【００７２】
なお、記録動作中に関しては、Ｉ／Ｖアンプ２２の出力電圧が大きめであり、温度ドリフトによるオフセットの影響が少ないので、必ずしも温度ドリフトによるオフセットの調整を必要としないが、上記の再生動作中に準じて記録動作中においても半導体レーザ３を適宜消灯させることにより、オフセットの調整を行い、オフセットの影響を全く受けないようにしてもよい。
【００７３】
また、本実施の形態では、比較器２８に対する入力をアンプ２４の出力としたが、Ｉ／Ｖアンプ２２の出力を比較器２８に対する入力としてもよい。この場合、比較器２８の基準電圧Ｖrefは半導体レーザ３の消灯時にＩ／Ｖアンプ２２が出力すべき電圧値に設定される。
【００７４】
本発明の第二の実施の形態を図４及び図５に基づいて説明する。図１ないし図３で示した部分と同一部分は同一符号を用いて示し、説明も省略する（以降の実施の形態でも同様とする）。
【００７５】
本実施の形態では、再生動作に伴い光ディスク２から読み出された再生情報をホスト１４側に出力する前に一旦蓄積するバッファメモリ４１が付加されている。
【００７６】
一般的な光情報記録再生装置ではこのようなバッファメモリを具備していることが多い。例えば、ＤＶＤ−Ｒメディアに記録を行う場合、連続記録中にデータが途絶えることは許されないので、ホスト１４からの入力データが一時的に転送されない場合でも連続的に光ディスク２に記録データを供給するためにバッファメモリに記録データを一旦蓄積しておく。また、再生時においては、振動等でサーボが一時的に外れてしまった場合でもホスト１４へのデータ転送が連続的に行われるように再生データをバッファメモリに蓄積しておく。
【００７７】
このようにバッファメモリ４１を備えた構成下で、本実施の形態では、ＣＰＵ１３においてオフセットサンプル信号を使用せず、半導体レーザ３の消灯中に連続的に比較器２８の出力電圧を取得し温度ドリフトによるオフセットの調整を行うようにしたものである。半導体レーザ３の消灯中にＣＰＵ１３が比較器２８の比較出力を判定してＤ／Ａ変換器３１にオフセット電圧値の設定を行う必要があるので、所定時間Ｔ０としてはその時間内にオフセットの調整が完了するように比較的長期間に設定する必要がある。また、半導体レーザ３を比較的長時間消灯させることで、サーボ信号（フォーカシングサーボ信号Ｆｏ及びトラッキングサーボ信号Ｔｒ）が外れてしまい、復帰にかなりの時間を要する。ＣＰＵ１３がオフセットの調整処理に要する時間はサーボ制御の復帰時間より十分短いので、サーボ信号の復帰までに必要な時間の間、再生データを一時的にバッファメモリ４１に蓄積させるものである。
【００７８】
このような構成において、図５に示すように、再生動作が所定期間Ｔ１連続した場合、その期間経過時点でＣＰＵ１３はＬＤオン信号をＬレベルとしてＬＤ駆動装置２７に対し半導体レーザ３の消灯を指示する。すると、半導体レーザ３が消灯されるとともに、アンプ２４の出力は消灯時の出力電圧レベルとなり、比較器２８において基準電圧Ｖrefと比較され、比較結果が出力される。ＣＰＵ１３は、比較器２８の比較出力を直接的に取得し、初期化時オフセット調整の場合と同様に、比較器２８の出力結果に応じて、アンプ２４の出力電圧が基準電圧Ｖrefにほぼ等しくなるようにＤ／Ａ変換器３１のオフセット電圧値を設定する。このような調整動作を半導体レーザ３が消灯している所定時間Ｔ０の間に完了させる。
【００７９】
ところで、上記のように半導体レーザ３を消灯させる所定期間Ｔ０が長めとなるとサーボ制御が外れるとともに、その間の再生データの欠損をエラー訂正で補うことができず、連続して再生している再生データが不連続となってしまう。いま、サーボ制御の復帰に１秒必要として、この１秒間の再生データを蓄積するためのバッファメモリ４１の必要メモリ容量を算出してみる。例えば、ＤＶＤ８倍速再生で考えた場合、
１倍速時のチャネルクロック周期：３８．２ｎｓ
ＥＦＭ＋データの冗長度：２倍
誤り訂正による冗長度：１５％
とすると、バッファメモリ４１に転送される１bitデータの転送時間は
３８．２ｎｓ／８×２×１．１５≒１１ｎｓ／bit
であるので、１秒間分のデータを蓄積するには
１／１１ｎｓ≒１１ＭＢyte
あればよい。
【００８０】
従って、本実施の形態によれば、再生データを一時的に格納するバッファメモリ４１を備えているので、再生動作中に半導体レーザ３をオフセットの調整のための消灯させる所定時間Ｔ０を長めとすることにより、再生データに欠損を生じても、それ以前の再生データをバッファメモリ４１に格納させておき、再点灯後には欠損した部分の再生データを改めて取得してバッファメモリ４１に格納させることにより、バッファメモリ４１からホスト１４側に出力させる段階ではこれらの再生データを連続させることができ、再生データが不連続となってしまうような不具合を生じない。
【００８１】
本発明の第三の実施の形態を図６に基づいて説明する。本実施の形態では、光ディスク装置１内に温度変動検出器４２が配設されている。この温度変動検出器４２はＣＰＵ１３に接続されており、光ディスク装置１内の温度を検出し、その値をデジタル化してＣＰＵ１３に出力する機能を有す。ここに、ＣＰＵ１３はその検出出力を監視することにより温度監視手段の機能を発揮する。即ち、ＣＰＵ１３が温度変動検出器４２の出力を監視し、その温度変動が予め設定された所定の範囲を超えて変動した場合に、半導体レーザ３を消灯させて、前述した場合と同様に温度ドリフトに伴うオフセットの調整動作を行わせるようにしたものである。つまり、前述した第一，二の実施の形態では、温度ドリフトに伴うオフセットの調整動作を行う時期を所定期間Ｔ１経過後として時間的管理によって制御しているのと異なる。
【００８２】
温度ドリフトに伴うＡＰＣ回路２１のオフセットの調整動作を開始させるべき温度の変動範囲としては、温度ドリフトに伴う発光パワーの変動により決定される。例えば、発光パワーの変動が温度変動として１０℃まで許容できるなら、温度変動検出器４２の検出出力が１０℃変化した場合にＣＰＵ１３によりＡＰＣ回路２１のオフセットの調整動作を開始させるようにすればよい。
【００８３】
従って、本実施の形態によれば、実際の再生動作に伴い生じ得る温度ドリフトの最大要因である光ディスク装置１内の温度変動を温度変動検出器４２の検出出力に基づき常時監視し、温度ドリフトによるＡＰＣ回路２１のオフセットの影響が出ないように設定された温度変動の範囲を超える変動を生じた場合に半導体レーザ３を消灯させてＡＰＣ回路２１のオフセットの調整を行わせることで、不規則ではあるが、実際に温度ドリフトによるオフセットの調整の必要性が生じた場合のみの必要最小限の制御で温度ドリフトによる悪影響を受けることのないパワー制御が可能となる。
【００８４】
本発明の第四の実施の形態を図７に基づいて説明する。本実施の形態は、情報処理装置としてパーソナルコンピュータ５１に適用したものであり、３．５型ＦＤドライブ装置５２の他に、前述したような光ディスク装置１をＤＶＤ−Ｒドライブとして内蔵（一体に内蔵させたタイプでも、いわゆるビルトインタイプでもよい）した構成とされている。従って、ホスト１４もパーソナルコンピュータ５１内に内蔵されている。
【００８５】
このようなパーソナルコンピュータ５１によれば、上述したような光ディスク装置１を内蔵しているので、実際の再生動作等のドライブ動作に伴い生じ得る温度ドリフトによるＡＰＣ回路２１のオフセットをそのドライブ動作中に適正に除去することができるので、常に良好なるレーザパワー制御が行われた状態の光ディスク装置１を利用できるパーソナルコンピュータ５１を提供することができる。
【００８６】
もっとも、本実施の形態のようにパーソナルコンピュータ５１に内蔵されたタイプの光ディスク装置に限らず、単体で設けられ、外部のホスト等の情報処理装置に接続された形態であってもよい。
【００８７】
また、これらの各実施の形態では、再生だけでなく記録も可能な光ディスク装置１への適用例として説明したが、再生専用の光ディスク装置の場合にも同様に適用できる。この場合、前述したように本来的にはＡＰＣ回路中に含まれるＩ／Ｖアンプのゲインを大きくとることができるので、温度ドリフトによるオフセットがあってもその影響を小さくすることができるものの、前述した場合に準じて再生動作中に半導体レーザを消灯させて温度ドリフトによるオフセットの調整を行うようにすれば、より完全にオフセットの影響をなくすことができ、再生動作の信頼性を向上させることができる。このようなことから、対象となる光ディスクに関しても、前述したようなＤＶＤ−Ｒに限らず、記録再生可能な各種光ディスク、再生専用の各種光ディスクについて適用できる。
【００８８】
【発明の効果】
請求項１記載の発明の光ディスク装置のレーザパワー制御方法によれば、再生動作中であってもレーザ光源を所定時間消灯させることによりその時点での温度ドリフトによるオートパワー制御回路のオフセット量を検知することが可能となり、そのオフセット量に基づきオートパワー制御回路に生ずるオフセットを打ち消すように適正に調整することができ、結果として、実際のドライブ動作に伴う温度ドリフトの影響を受けないオートパワー制御回路によるレーザパワー制御が可能となる。
【００８９】
請求項２記載の発明によれば、請求項１記載の光ディスク装置のレーザパワー制御方法において、再生動作中にオフセットの調整を行うためにレーザ光源を消灯させることで、消灯直前のレーザ光源に対する駆動電流値を失うとレーザ光源の再点灯に伴いオートパワー制御回路によりパワー制御を行う上でその制御動作が安定するまでにかなりの時間を要することとなるが、レーザ光源の消灯直前の駆動電流値をサンプルホールド回路により保持しておくことにより、再点灯後のオートパワー制御回路の制御動作を速やかに安定させることができ、よって、パワー制御の連続性を維持することができる。
【００９０】
請求項３記載の発明によれば、請求項１又は２記載の光ディスク装置のレーザパワー制御方法において、実際のドライブ動作に伴い生じ得る温度ドリフトによるオートパワー制御回路のオフセットの影響が出ないように設定された所定期間に亘って再生動作が連続して行われた場合にその所定期間経過時点でレーザ光源を消灯させてオートパワー制御回路のオフセットの調整を行わせるようにしたので、時間的管理による簡単な制御方法で温度ドリフトによる悪影響を受けることのないパワー制御が可能となる。
【００９１】
請求項４記載の発明によれば、請求項１又は２記載の光ディスク装置のレーザパワー制御方法において、実際のドライブ動作に伴い生じ得る温度ドリフトの最大要因である光ディスク装置内の温度変動を監視し、温度ドリフトによるオートパワー制御回路のオフセットの影響が出ないように設定された温度変動の範囲を超える変動を生じた場合にレーザ光源を消灯させてオートパワー制御回路のオフセットの調整を行わせるようにしたので、実際に温度ドリフトによるオフセットの調整の必要性が生じた場合のみの必要最小限の制御で温度ドリフトによる悪影響を受けることのないパワー制御が可能となる。
【００９２】
請求項５記載の発明によれば、請求項１ないし４の何れか一に記載の光ディスク装置のレーザパワー制御方法において、再生動作中にレーザ光源を消灯させる所定時間をその直後の再点灯時にサーボ信号が追従し得る時間の範囲内に設定したので、再生動作中に消灯を伴うオートパワー制御回路のオフセットの調整動作を行っても、トラッキング等のサーボ制御には何ら支障を来たすことがなく、従って、再点灯後の再生動作等の連続性も維持させることができる。
【００９３】
請求項６記載の発明によれば、請求項１ないし４の何れか一に記載の光ディスク装置のレーザパワー制御方法において、再生動作中にレーザ光源を消灯させる所定時間をその時間内にオートパワー制御回路のオフセット調整を完了させ得る時間に設定した場合、比較的消灯時間が長くなり、トラッキング等のサーボ信号が追従し得ずサーボが外れてしまい、再点灯後のサーボ復帰に時間を要し、外部に出力する再生信号の連続性が損なわれるが、再生動作により再生された情報を一旦バッファメモリを介して出力させるようにしたので、オフセットの調整に伴う再生信号の不連続性を調整してその連続性を維持させて出力させることができる。
【００９４】
請求項７記載の発明の光ディスク装置によれば、レーザ光源の消灯状態でオートパワー制御回路に生ずるオフセットを調整するオフセット調整手段と、再生動作中にレーザ光源を所定時間消灯させる消灯制御手段とを備えるので、再生動作中であっても消灯制御手段によりレーザ光源を所定時間消灯させることによりその時点での温度ドリフトによるオートパワー制御回路のオフセット量を検知することが可能となり、そのオフセット量に基づきオートパワー制御回路に生ずるオフセットを打ち消すようにオフセット調整手段により適正に調整することができ、結果として、実際のドライブ動作に伴う温度ドリフトの影響を受けないオートパワー制御回路によるレーザパワー制御が可能となる。
【００９５】
請求項８記載の発明の光ディスク装置によれば、請求項７記載の発明の光ディスク装置の場合と同様に、再生動作中であっても消灯制御手段によりレーザ光源を所定時間消灯させることによりその時点での温度ドリフトによるオートパワー制御回路のオフセット量を検知することが可能となり、そのオフセット量に基づきオートパワー制御回路に生ずるオフセットを打ち消すようにオフセット調整手段により適正に調整することができ、結果として、実際のドライブ動作に伴う温度ドリフトの影響を受けないオートパワー制御回路によるレーザパワー制御が可能となる上に、オートパワー制御回路中の電流／電圧変換回路のゲインを記録時と再生時とで同一とし再生動作時の温度ドリフトの影響が大きくなるような構成条件下において再生動作時の温度ドリフトの影響を受けないようにオフセットの調整を行うことができる。
【００９６】
請求項９記載の発明によれば、請求項７又は８記載の光ディスク装置を実現する上で、オートパワー制御回路中の比較手段の基準電圧を、レーザ光源の消灯時に比較対象となる電流／電圧変換回路又は増幅器が出力すべき電圧値に設定したので、実際のドライブ動作に伴い生じ得る温度ドリフトによるオートパワー制御回路のオフセットを簡単かつ正確に除去させることができる。
【００９７】
請求項１０記載の発明によれば、請求項９記載の光ディスク装置におけるオフセットの調整を実現する上で、いわゆるＣＰＵ等のデジタル制御装置によりＤ／Ａ変換手段のオフセット電圧の電圧値を制御設定することにより、容易かつ正確に温度ドリフトに伴うオフセットの調整を行わせることができる。
【００９８】
請求項１１記載の発明によれば、請求項９又は１０記載の光ディスク装置において、再生動作中にオフセットの調整を行うためにレーザ光源を消灯させることで、消灯直前のレーザ光源に対する駆動電流値を失うとレーザ光源の再点灯に伴いオートパワー制御回路によりパワー制御を行う上でその制御動作が安定するまでにかなりの時間を要することとなるが、サンプルホールド回路を備えてレーザ光源の消灯直前の駆動電流値を保持しておくことにより、再点灯後のオートパワー制御回路の制御動作を速やかに安定させ、制御の連続性を維持させることができる。
【００９９】
請求項１２記載の発明によれば、請求項７ないし１１の何れか一記載の光ディスク装置において、実際の再生動作に伴い生じ得る温度ドリフトによるオートパワー制御回路のオフセットの影響が出ないように設定された所定期間に亘って再生動作が連続して行われた場合にその所定期間経過時点でレーザ光源を消灯させてオートパワー制御回路のオフセットの調整を行わせるようにしたので、時間的管理による簡単な制御方法で温度ドリフトによる悪影響を受けることのないパワー制御が可能となる。
【０１００】
請求項１３記載の発明によれば、請求項７ないし１１の何れか一記載の光ディスク装置において、実際の再生動作に伴い生じ得る温度ドリフトの最大要因である光ディスク装置内の温度変動を温度監視手段により監視し、温度ドリフトによるオートパワー制御回路のオフセットの影響が出ないように設定された温度変動の範囲を超える変動を生じた場合にレーザ光源を消灯させてオートパワー制御回路のオフセットの調整を行わせるようにしたので、実際に温度ドリフトによるオフセットの調整の必要性が生じた場合のみの必要最小限の制御で温度ドリフトによる悪影響を受けることのないパワー制御が可能となる。
【０１０１】
請求項１４記載の発明によれば、請求項７ないし１３の何れか一に記載の光ディスク装置において、再生動作中にレーザ光源を消灯させる所定時間をその直後の再点灯時にサーボ信号が追従し得る時間の範囲内に設定したので、再生動作中に消灯を伴うオートパワー制御回路のオフセットの調整動作を行っても、トラッキング等のサーボ制御には何ら支障を来たすことがなく、従って、再点灯後の再生動作等の連続性も維持させることができる。
【０１０２】
請求項１５記載の発明によれば、請求項７ないし１３の何れか一に記載の光ディスク装置において、再生動作中にレーザ光源を消灯させる所定時間をその時間内にオートパワー制御回路のオフセット調整を完了させ得る時間に設定した場合、比較的消灯時間が長くなり、トラッキング等のサーボ信号が追従し得ずサーボが外れてしまい、再点灯後のサーボ復帰に時間を要し、外部に出力する再生信号の連続性が損なわれるが、再生動作により再生された情報を一旦バッファメモリを介して出力させるようにしたので、オフセットの調整に伴う再生信号の不連続性を調整してその連続性を維持させて出力させることができる。
【０１０３】
請求項１６記載の発明によれば、請求項１５記載の光ディスク装置に関して、再生動作により再生された情報を一旦バッファメモリを介していわゆるホスト等の外部情報処理装置に出力させるようにしたので、オフセットの調整に伴う再生信号の不連続性を調整してその連続性を維持させて外部情報処理装置に出力させることができる。
【０１０４】
請求項１７記載の発明の情報処理装置によれば、請求項７ないし１５の何れか一に記載の光ディスク装置を内蔵しているので、再生動作等の実際のドライブ動作に伴い生じ得る温度ドリフトによるオートパワー制御回路のオフセットをそのドライブ動作中に適正に除去することができ、良好なるパワー制御が行われた状態の光ディスク装置を利用でき、信頼性が向上する情報処理装置を提供することができる。
【図面の簡単な説明】
【図１】本発明の第一の実施の形態の光ディスク装置の概略を示すブロック的構成図である。
【図２】そのＬＤパワー制御装置等を示すブロック的回路図である。
【図３】ＡＰＣ回路の温度ドリフトによるオフセットの調整処理を示すタイムチャートである。
【図４】本発明の第二の実施の形態のＬＤパワー制御装置等を示すブロック的回路図である。
【図５】ＡＰＣ回路の温度ドリフトによるオフセットの調整処理を示すタイムチャートである。
【図６】本発明の第三の実施の形態のＬＤパワー制御装置等を示すブロック的回路図である。
【図７】本発明の第四の実施の形態のパーソナルコンピュータを示す外観斜視図である。
【図８】従来のＡＰＣ回路を示すブロック的回路図である。
【符号の説明】
１      光ディスク装置
２      光ディスク
３      レーザ光源
１３      デジタル制御装置
１７      モニタ用受光素子
２１      オートパワー制御回路
２２      電流／電圧変換回路
２３      光源電流駆動回路
２４      増幅器
２８      比較手段
３０      サンプルホールド回路
３１      Ｄ／Ａ変換手段
３２      オフセット調整手段
４１      バッファメモリ
【図１】
0003973338.tif 000003
【図２】
0003973338.tif 000004
【図３】
0003973338.tif 000005
【図４】
0003973338.tif 000006
【図５】
0003973338.tif 000007
【図６】
0003973338.tif 000008
【図７】
0003973338.tif 000009
【図８】
0003973338.tif 000010